(57)【要約】      （修正有）【課題】入浴剤使用後でも有効に活用することができる入浴剤用包装袋を提供する。【解決手段】入浴剤が封入される袋状の入浴剤用包装袋１０であって、密閉された周縁部１１０、１２０、１３０と、周縁部１１０、１２０、１３０の少なくとも一部に設けられた切り取り部２１０、２２０及び２３０と、絵または文字で着色された内面部３００とを備える。【選択図】図２
0003164329.tif 000002
【実用新案登録請求の範囲】
【請求項１】
入浴剤が封入される袋状の入浴剤用包装袋であって、
密閉された周縁部と、
前記周縁部の少なくとも一部に設けられた切り取り部と、
絵または文字で着色された内面部と
を備える入浴剤用包装袋。
【請求項２】
前記切り取り部は、前記周縁部が前記切り取り部で切り取られた場合に、前記内面部に着色された絵または文字を切り取らない位置に設けられている
請求項１に記載の入浴剤用包装袋。
【請求項３】
前記周縁部は、複数の直線状の辺を有する多角形状の周縁部であり、
前記切り取り部は、前記複数の直線状の辺のうちの１辺以外の辺に設けられている
請求項１または２に記載の入浴剤用包装袋。
【請求項４】
前記周縁部は、４つの前記直線状の辺を有し、
前記切り取り部は、前記４つの直線状の辺のうちの３つの直線状の辺に設けられている
請求項３に記載の入浴剤用包装袋。
【請求項５】
前記内面部は、耐水性材料で形成されている
請求項１〜４のいずれか１項に記載の入浴剤用包装袋。
【考案の詳細な説明】
【技術分野】
【０００１】
本考案は、入浴剤が封入される袋状の入浴剤用包装袋に関する。
【背景技術】
【０００２】
従来、入浴剤が封入される入浴剤用包装袋として、様々な形態の袋が提案されている（例えば、特許文献１参照）。この入浴剤用包装袋によれば、入浴剤の保存性がよく外観の見栄えのよい袋を提供することができる。
【先行技術文献】
【特許文献】
【０００３】
【特許文献１】特開平１１−１７１２４５号公報
【考案の概要】
【考案が解決しようとする課題】
【０００４】
ここで、従来の入浴剤用包装袋では、入浴剤使用前の保存性や外観の見栄えなどを重視しているが、封入されている入浴剤が浴槽に投入された後は、当該入浴剤用包装袋は廃棄される。このように、従来の入浴剤用包装袋では、入浴剤使用後は、ごみとして廃棄され、有効活用されないという問題があった。
【０００５】
そこで、本考案は、上記従来の問題を解決するものであり、入浴剤使用後でも有効に活用することができる入浴剤用包装袋を提供することを目的とする。
【課題を解決するための手段】
【０００６】
上記目的を達成するために、本考案に係る入浴剤用包装袋は、入浴剤が封入される袋状の入浴剤用包装袋であって、密閉された周縁部と、前記周縁部の少なくとも一部に設けられた切り取り部と、絵または文字で着色された内面部とを備える。
【０００７】
これによれば、入浴剤用包装袋の内面部が、絵または文字で着色されている。このため、例えば親子が一緒に入浴する際に、入浴剤を使用した後に、入浴剤用包装袋の内面部に描かれた絵や文字を見ながらコミュニケーションをとることができる。特に、風呂という集中できる場所で、入浴剤用包装袋の内面部に描かれた絵や文字を見て、親子で楽しんで勉強などを行うことができる。これにより、入浴剤使用後でも、入浴剤用包装袋を有効に活用することができる。
【０００８】
また、好ましくは、前記切り取り部は、前記周縁部が前記切り取り部で切り取られた場合に、前記内面部に着色された絵または文字を切り取らない位置に設けられている。
【０００９】
これによれば、切り取り部は、内面部に着色された絵または文字を切り取らない位置に設けられている。つまり、切り取り部に沿って入浴剤用包装袋の周縁部を切り取り、入浴剤用包装袋を開けることで、内面部に描かれた絵や文字を見ることができる。これにより、容易に、内面部に描かれた絵や文字を見ることができ、入浴剤用包装袋を有効に活用することができる。
【００１０】
また、好ましくは、前記周縁部は、複数の直線状の辺を有する多角形状の周縁部であり、前記切り取り部は、前記複数の直線状の辺のうちの１辺以外の辺に設けられている。
【００１１】
これによれば、周縁部は多角形状であり、切り取り部は、多角形状の周縁部の１辺以外の他の辺に設けられている。つまり、入浴剤用包装袋は、どのような多角形状であってもよく、切り取り部で切り取ることで、容易に、内面部に描かれた絵や文字を見ることができる。これにより、入浴剤使用後でも、入浴剤用包装袋を有効に活用することができる。
【００１２】
また、好ましくは、前記周縁部は、４つの前記直線状の辺を有し、前記切り取り部は、前記４つの直線状の辺のうちの３つの直線状の辺に設けられている。
【００１３】
これによれば、周縁部は４角形状であり、切り取り部は、４角形状の３辺に設けられている。つまり、入浴剤用包装袋は、４角形状であってもよく、３辺を切り取り部で切り取ることで、容易に、内面部に描かれた絵や文字を見ることができる。これにより、入浴剤使用後でも、入浴剤用包装袋を有効に活用することができる。
【００１４】
また、好ましくは、前記内面部は、耐水性材料で形成されている。
【００１５】
これによれば、内面部は、耐水性材料で形成されている。ここで、耐水性材料とは、例えば、アルミ素材などの金属材料である。このため、内面部が風呂の湯水で濡れてもよいので、内面部に描かれた絵や文字を、風呂の中で見ることができる。これにより、入浴剤使用後でも、入浴剤用包装袋を有効に活用することができる。
【考案の効果】
【００１６】
本考案に係る入浴剤用包装袋によれば、入浴剤使用後でも有効に活用することができる。
【図面の簡単な説明】
【００１７】
【図１】本考案の実施の形態における入浴剤用包装袋を正面から見た外観図である。
【図２】本考案の実施の形態における入浴剤用包装袋の内面部を示す図である。
【図３】本考案の実施の形態における入浴剤用包装袋の変形例を示す図である。
【考案を実施するための形態】
【００１８】
以下、本考案の実施の形態について、図面に基づいて説明する。
【００１９】
図１は、本考案の実施の形態における入浴剤用包装袋１０を正面から見た外観図である。
【００２０】
同図に示すように、入浴剤用包装袋１０は、入浴剤が封入される袋状の容器であって、周縁部１１０、１２０、１３０及び１４０と、切り取り部２１０、２２０及び２３０とを備えている。
【００２１】
周縁部１１０、１２０、１３０及び１４０は、入浴剤用包装袋１０の周縁部であり、密閉されている。具体的には、周縁部１１０は、入浴剤用包装袋１０の上側の周縁部であり、周縁部１２０は、入浴剤用包装袋１０の左側の周縁部であり、周縁部１３０は、入浴剤用包装袋１０の下側の周縁部であり、周縁部１４０は、入浴剤用包装袋１０の右側の周縁部である。
【００２２】
切り取り部２１０、２２０及び２３０は、周縁部１１０、１２０、１３０及び１４０の少なくとも一部に設けられている切り取り線である。なお、切り取り部２１０、２２０及び２３０は、切り取り線でなくともよく、ユーザが切り取る箇所であることが分かるのであれば、どのような形態のものであってもよい。
【００２３】
具体的には、切り取り部２１０は周縁部１１０に設けられており、切り取り部２２０は周縁部１２０に設けられており、切り取り部２３０は周縁部１３０に設けられている。ここで、周縁部１４０には、切り取り部は設けられていない。
【００２４】
つまり、入浴剤用包装袋１０は、正面視で長方形状の袋体であり、周縁部１１０、１２０、１３０及び１４０は、それぞれ長方形状を構成する直線状の４辺である。また、切り取り部２１０、２２０及び２３０は、当該直線状の４辺のうちの３辺に設けられている。
【００２５】
そして、入浴剤用包装袋１０は、切り取り部２１０、２２０及び２３０の切り取り線に沿って切り取られることで開封され、入浴剤が使用される。なお、切り取り部２１０、２２０及び２３０に切り込みが入れられており、ユーザが手で切り取り部２１０、２２０及び２３０の切り込みに沿って切り取ることにしてもよいし、当該切り込みが入れられていない場合でも、ユーザがはさみで切り取り部２１０、２２０及び２３０を切り取ることにしてもよい。
【００２６】
次に、入浴剤が使用された後の状態を、図２に示す。
【００２７】
図２は、本考案の実施の形態における入浴剤用包装袋１０の内面部３００を示す図である。
【００２８】
同図に示すように、入浴剤用包装袋１０が切り取り部２１０、２２０及び２３０に沿って切り取られると、内面部３００を開放することができる。
【００２９】
内面部３００は、入浴剤用包装袋１０の内面部であり、絵または文字で着色されている。ここで、内面部３００に描かれている絵または文字とは、例えば、文学作品、小学校の国語の教科書、または児童用の物語などから抜粋した文にイラストを付けた、教育用の絵や文字である。
【００３０】
このように、内面部３００に描かれている絵または文字は、親子で風呂の中でコミュニケーションをとりながら楽しんで勉強をすることができる教育用の絵や文字であるのが好ましいが、内面部３００に描かれている絵または文字は、このような教育用の絵や文字には限定されず、どのようなものであってもよい。例えば、内面部３００に描かれている絵または文字は、会社や商品の宣伝用のフレーズまたは図柄であってもよいし、購入者に賞品を提供する当たりくじが記載されているという購買意欲を起こさせるような表示であってもよい。
【００３１】
また、内面部３００に描かれている絵または文字は、切り取り部２１０、２２０及び２３０で切り取られた場合に、当該教育用の絵や文字などが切り取られないように描かれている。つまり、切り取り部２１０、２２０及び２３０は、周縁部１１０、１２０及び１３０が切り取り部２１０、２２０及び２３０で切り取られた場合に、内面部３００に着色された絵または文字を切り取らない位置に設けられている。
【００３２】
また、入浴剤用包装袋１０は、耐水性材料で形成されている。ここで、耐水性材料とは、例えば、アルミ素材などの金属材料や、樹脂製の材料であるが、特に限定されない。つまり、内面部３００は、耐水性材料で形成されている。なお、入浴剤用包装袋１０は、全てが耐水性材料で形成されていなくともよく、少なくとも内面部３００が耐水性材料で形成されていればよい。
【００３３】
以上により、本考案に係る入浴剤用包装袋１０によれば、入浴剤用包装袋１０の内面部３００が、絵または文字で着色されている。このため、例えば親子が一緒に入浴する際に、入浴剤を使用した後に、入浴剤用包装袋１０の内面部３００に描かれた絵や文字を見ながらコミュニケーションをとることができる。特に、風呂という集中できる場所で、入浴剤用包装袋１０の内面部３００に描かれた絵や文字を見て、親子で楽しんで勉強などを行うことができる。これにより、入浴剤使用後でも、入浴剤用包装袋１０を有効に活用することができる。
【００３４】
また、切り取り部２１０、２２０及び２３０は、内面部３００に着色された絵または文字を切り取らない位置に設けられている。つまり、切り取り部２１０、２２０及び２３０に沿って入浴剤用包装袋１０の周縁部１１０、１２０及び１３０を切り取り、入浴剤用包装袋１０を開けることで、内面部３００に描かれた絵や文字を見ることができる。これにより、容易に、内面部３００に描かれた絵や文字を見ることができ、入浴剤用包装袋１０を有効に活用することができる。
【００３５】
また、入浴剤用包装袋１０の周縁部は４角形状であり、切り取り部２１０、２２０及び２３０は、当該４角形状の３辺に設けられている。つまり、入浴剤用包装袋１０の３辺を切り取り部２１０、２２０及び２３０で切り取ることで、容易に、内面部３００に描かれた絵や文字を見ることができる。これにより、入浴剤使用後でも、入浴剤用包装袋１０を有効に活用することができる。
【００３６】
また、内面部３００は、耐水性材料で形成されている。このため、内面部３００が風呂の湯水で濡れてもよいので、内面部３００に描かれた絵や文字を、風呂の中で見ることができる。これにより、入浴剤使用後でも、入浴剤用包装袋１０を有効に活用することができる。
【００３７】
ここで、上記実施の形態では、入浴剤用包装袋１０は、正面視で四角形状であることとしたが、入浴剤用包装袋は、正面視で四角形状でなくともよく、どのような形状であってもよい。
【００３８】
以下に、入浴剤用包装袋１０の他の形状の例について、説明する。
【００３９】
図３は、本考案の実施の形態における入浴剤用包装袋１０の変形例を示す図である。
【００４０】
例えば、同図の（ａ）に示された入浴剤用包装袋１１または同図の（ｂ）に示された入浴剤用包装袋１２のように、入浴剤用包装袋は、三角形状や六角形状などの多角形状であってもよい。
【００４１】
つまり、入浴剤用包装袋の周縁部は、複数の直線状の辺を有する多角形状の周縁部であり、切り取り部は、当該複数の直線状の辺のうちの１辺以外の辺に設けられている。この場合、入浴剤用包装袋１１または入浴剤用包装袋１２を切り取り部に沿って切り取って、開放することで、内面部３０１または内面部３０２に描かれた絵や文字を見ることができる。
【００４２】
このように、入浴剤用包装袋は、どのような多角形状であってもよく、切り取り部で切り取ることで、容易に、内面部３０１または内面部３０２に描かれた絵や文字を見ることができる。これにより、入浴剤使用後でも、入浴剤用包装袋を有効に活用することができる。
【００４３】
また、同図の（ｃ）に示された入浴剤用包装袋１３及び同図の（ｄ）に示された入浴剤用包装袋１４のように、入浴剤用包装袋は、多角形状以外の形状であってもよい。
【００４４】
つまり、入浴剤用包装袋の周縁部は、直線状または曲線状の複数の辺を有する周縁部であり、切り取り部は、当該複数の辺のうちの１辺以外の辺に設けられている。この場合、入浴剤用包装袋１３または入浴剤用包装袋１４を切り取り部に沿って切り取って、開放することで、内面部３０３または内面部３０４に描かれた絵や文字を見ることができる。
【００４５】
このように、入浴剤用包装袋は、多角形状以外でも、どのような形状であってもよく、切り取り部で切り取ることで、容易に、内面部３０３または内面部３０４に描かれた絵や文字を見ることができる。これにより、入浴剤使用後でも、入浴剤用包装袋を有効に活用することができる。
【００４６】
以上、本考案に係る入浴剤用包装袋について、上記実施の形態及びその変形例を用いて説明したが、本考案は、これに限定されるものではない。
【００４７】
つまり、今回開示された実施の形態及びその変形例はすべての点で例示であって制限的なものではないと考えられるべきである。本考案の範囲は上記した説明ではなくて実用新案登録請求の範囲によって示され、実用新案登録請求の範囲と均等の意味及び範囲内でのすべての変更が含まれることが意図される。
【産業上の利用可能性】
【００４８】
本考案は、入浴剤用包装袋に適用でき、特に、入浴剤使用後でも有効に活用することができる入浴剤用包装袋に適用できる。
【符号の説明】
【００４９】
１０、１１、１２、１３、１４  入浴剤用包装袋
１１０、１２０、１３０、１４０  周縁部
２１０、２２０、２３０  切り取り部
３００、３０１、３０２、３０３、３０４  内面部
【図１】
0003164329.tif 000003
【図３】
0003164329.tif 000004
【図２】
0003164329.tif 000005
【手続補正書】
【提出日】平成22年9月24日(2010.9.24)
【手続補正１】
【補正対象書類名】図面
【補正対象項目名】図１
【補正方法】変更
【補正の内容】
【図１】
0003164329.tif 000006